(57)【要約】【課題】自毛に容易に取付けられるような増毛用毛髪束を得る。【解決手段】増毛用毛髪束１０は、所定長Ｌに切断され、長手方向の略全長に亘って水溶性糊剤１１により固化された複数本の人工毛１２（或いは人毛、又は人毛と人工毛の混合毛）からなる。【選択図】  図１
2007297734.tif 000002
【特許請求の範囲】
【請求項１】
所定長に切断され、長手方向の略全長に亘って水溶性糊剤により固化された複数本の人毛若しくは人工毛又はこれらの混合毛からなる、
ことを特徴とする増毛用毛髪束。
【請求項２】
長手方向の略全長に亘って略同一幅の板状に形成されている、
ことを特徴とする請求項１に記載の増毛用毛髪束。
【請求項３】
長手方向の一端側が先端に行くに従い細くなるような傾斜面又は湾曲面に形成されている、
ことを特徴とする請求項１又は２に記載の増毛用毛髪束。
【請求項４】
所定長に切断された人毛若しくは人工毛又はこれらの混合毛の束に、長手方向の略全長に亘って水溶性糊剤を塗布する工程と、
該水溶性糊剤を乾燥させて固化する工程と、を備えている、
ことを特徴とする増毛用毛髪束の製造方法。
【請求項５】
長手方向の一端側が先端に行くに従い細くなるような傾斜面又は湾曲面に切断する工程を備えている、
ことを特徴とする請求項４に記載の増毛用毛髪束の製造方法。
【請求項６】
前記水溶性糊剤を噴射させるか又は刷毛を用いて塗布する、
ことを特徴とする請求項４又は５に記載の増毛用毛髪束の製造方法。
【請求項７】
前記水溶性糊剤を塗布した後に熱プレス装置を用いて前記水溶性糊剤を乾燥させて固化する、
ことを特徴とする請求項４〜６のいずれかに記載の増毛用毛髪束の製造方法。
【発明の詳細な説明】
【技術分野】
【０００１】
本発明は、自毛に容易に装着が可能な増毛用毛髪束とその製造方法に関する。
【背景技術】
【０００２】
従来、自毛が比較的薄くなりかけている人が、豊富で長い自毛があるように見せるために自毛に取り付ける増毛用毛髪束が知られている。このような増毛用毛髪束は、増毛用としてのみならず、部分染めの代わりに自毛の色とは異なる色彩の毛髪束を取り付けてファッション用として用いられる場合もある（例えば、特許文献１参照）。
【０００３】
この特許文献１には、熱収縮チューブ内にその一端側から自毛を挿通し、他端側から増毛用の毛髪束を挿通し、次にこの自毛と増毛用の毛髪束を挿通した状態で熱収縮チューブを加熱により収縮させ、自毛に増毛用の毛髪束を取り付ける技術が開示されている。
【特許文献１】特開２００４−２３２１４７号公報（第４頁、図５）
【発明の開示】
【発明が解決しようとする課題】
【０００４】
しかしながら、特許文献１では、増毛用の毛髪束は、長手方向の一端側が接着剤により細径の束に収束されているが、他の部分は拘束されずに複数本の毛髪束が１本ごとにフリーの状態で束ねられている。そのため、増毛用の毛髪束を自毛に取り付ける際に、毛髪束が１本ごとに垂れて自由に湾曲したり拡散したりするため、自分で自毛に取り付けることは困難であるという課題があった。
【０００５】
また、一般消費者である素人にとっては、このように自由に拡散等してしまう増毛用の毛髪束を、希望のスタイルや長さに鋏でカットすることは困難であった。
本発明は斯かる課題を解決するためになされたもので、その目的とするところは、自毛に容易に取付けられるようにした増毛用毛髪束とその製造方法を提供することにある。
【課題を解決するための手段】
【０００６】
前記目的を達成するため、請求項１に係る発明は、
所定長に切断され、長手方向の略全長に亘って水溶性糊剤により固化された複数本の人毛若しくは人工毛又はこれらの混合毛からなる、ことを特徴とする。
【０００７】
請求項２に係る発明は、請求項１に記載の増毛用毛髪束において、
長手方向の略全長に亘って略同一幅の板状に形成されている、ことを特徴とする。
請求項３に係る発明は、請求項１又は２に記載の増毛用毛髪束において、
長手方向の一端側が先端に行くに従い細くなるような傾斜面又は湾曲面に形成されている、ことを特徴とする。
【０００８】
請求項４に係る発明は、
所定長に切断された人毛若しくは人工毛又はこれらの混合毛の束に、長手方向の略全長に亘って水溶性糊剤を塗布する工程と、
該水溶性糊剤を乾燥させて固化する工程と、を備えている、ことを特徴とする。
【０００９】
請求項５に係る発明は、請求項４に記載の増毛用毛髪束の製造方法において、
長手方向の一端側が先端に行くに従い細くなるような傾斜面又は湾曲面に切断する工程を備えている、ことを特徴とする。
【００１０】
請求項６に係る発明は、請求項４又は５に記載の増毛用毛髪束の製造方法において、
前記水溶性糊剤を噴射させるか又は刷毛を用いて塗布する、ことを特徴とする。
請求項７に係る発明は、請求項４〜６のいずれかに記載の増毛用毛髪束の製造方法において、
前記水溶性糊剤を塗布した後に熱プレス装置を用いて前記水溶性糊剤を乾燥させて固化する、ことを特徴とする。
【発明の効果】
【００１１】
本発明に係る増毛用毛髪束は、所定長に切断され、長手方向の略全長に亘って水溶性糊剤により固化された複数本の人毛若しくは人工毛又はこれらの混合毛からなり、固化された状態で扱うことができるため簡単に自毛に取付けることができる。また、この増毛用毛髪束は、水溶性糊剤により固化されているので、一般消費者である素人でも簡単に希望のスタイルや長さにカットすることができる。
【発明を実施するための最良の形態】
【００１２】
以下、図面に基づき本発明の実施の形態を説明する。
（第１の実施の形態）
図１は、本実施の形態の増毛用毛髪束の外観図である。この増毛用毛髪束１０は、所定の長さＬ（例えばＬ＝４００ｍｍ程度）に切断され、長手方向の略全長に亘って水溶性糊剤１１により固化された複数本の例えば人工毛１２（或いは人毛、又は人毛と人工毛の混合毛）からなる。また、増毛用毛髪束１０は、長手方向の略全長に亘って略同一幅Ｗ（例えばＷ＝５〜６ｍｍ程度）の板状に形成されている。すなわち、この増毛用毛髪束１０は、各々の１本１本が水溶性糊剤１１により互いに密着され固化されて板状に形成されている。
【００１３】
更に、図２に示すように、増毛用毛髪束１０’は、長手方向の一端側が先端に行くに従い細くなるような傾斜面又は湾曲面１３に形成されている。このとき、増毛用毛髪束１０’は水溶性糊剤１１により固化されているので、素人でも鋏等を用いて長手方向の一端側（毛先側）を希望のスタイルや長さのスライドカットやチョップカットにカットすることができる。
【００１４】
この場合、従来のように人工毛１２の各々の１本１本が固化されていないで独立している毛髪束の場合は、素人が希望のスタイルや長さにカットすることが困難であったが、本実施形態のように、固化されて板状の毛髪束においては、素人でも鋏等により容易に希望のスタイルや長さにカットすることができる。このため、増毛用毛髪束１０を頭髪に取付けた場合には、自然な風合いをかもし出すことができる。
【００１５】
また、この増毛用毛髪束１０は、水に易溶な成分からなる水溶性糊剤１１を用いているため、自毛に取付けた後に、頭髪を洗髪することで、水溶性糊剤１１が簡単に水洗され、各々の１本１本の毛がほぐされて自然な毛髪状態となる。すなわち、自毛への取付け前は板状に固化された状態として自毛への取付けを容易にし、取付け後は洗髪により自然な毛髪状態とすることができる。
【００１６】
なお、人工毛１２は、例えばナイロン等の合成繊維を用いることができる。また、水溶性糊剤１１は、例えばポリビニルアルコールのような水溶性エマルジョンが形成しやすく、固化しやすくかつ水に溶けやすい素材を用いるのが好ましい。
【００１７】
次に、図３〜図６に基づき、増毛用毛髪束１０、１０’の製造方法について説明する。
まず、図３は、本実施の形態における増毛用毛髪束の製造方法のフローチャートを示す図である。
【００１８】
すなわち、Ｓ１で、人工毛１２の束（１本１本の毛がばらばらに分離している状態）に水溶性糊剤（水溶性粘着剤）１１を塗布し、Ｓ２では、この水溶性糊剤１１を塗布した後で、かつ該水溶性糊剤１１が乾燥する前に、人工毛１２の束の上から上布を被せる。これは、後述するように、水溶性糊剤１１がプレス装置等に付着しないようにするためである。
【００１９】
次に、Ｓ３では、塗布した水溶性糊剤１１をプレス等の加熱手段により加熱して乾燥させる。更に、Ｓ４では、必要に応じて、乾燥されて固化した人工毛１２の束の長手方向の一端側を希望のスタイル等にカットする。次に、具体的な各工程の内容を説明する。
【００２０】
図４は、所定長に切断された人工毛１２の束に水溶性糊剤１１を塗布する工程を示す図である。
同図に示すように、下布１６の上面に、人工毛１２の束を複数個（本実施形態では９個）略等しい間隔で略平行に並べて配置する。この下布１６は、本実施形態では、水溶性糊剤１１が接着せずかつ耐熱性の布を用い、好ましくは例えばポリエステル製布が用いられる。次いで、人工毛１２の束の長手方向の略全長に亘って水溶性糊剤１１を塗布する。この場合、水溶性糊剤１１を缶スプレー等の噴射装置１７により噴出させるか、又は図示しない刷毛を用いて塗布する。
【００２１】
次に、図５は、人工毛１２の束に水溶性糊剤１１を塗布した後の工程を示す図である。
すなわち、人工毛１２の束に水溶性糊剤１１を塗布した後、乾燥する前に、その上方から上布１８を被せる。この上布１８としては、例えば下布１６と同一の布を用い、好ましくは例えばポリエステル製布を用いる。これは、水溶性糊剤１１に対し直接プレス装置等を接触させると、該水溶性糊剤１１が後述する熱プレス装置２２（図６参照）等に付着してしまうためである。よって、上布１８として、水溶性糊剤１１が接着せずかつ耐熱性の布、好ましくは例えばポリエステル製布を用いている。
【００２２】
次に、図６は、水溶性糊剤１１の乾燥工程を示す図である。
すなわち、加熱された下プレス装置１９の上面に、下布１６及び上布１８で被われて水溶性糊剤１１が塗布された複数個の人工毛１２の束を載置する。次に、この下プレス装置１９に対し、これと対向配置されて加熱された上プレス装置２０を接近させてプレスする。これにより、水溶性糊剤１１が熱により乾燥されて固化され、図１及び図２に示した増毛用毛髪束１０が得られる。
【００２３】
なお、本実施形態では、下プレス装置１９及び上プレス装置２０からなる熱プレス装置２２を用いて複数個の人工毛１２の束を一度に乾燥させる場合について説明したが、これに限らず、例えばアイロン等を用いて１個の人工毛１２の束ごとに乾燥させることもできる。
【００２４】
次に、必要に応じて、図２に示したように、乾燥されて固化した毛髪束の長手方向の一端側を鋏等でカットすることにより、長手方向の先端に行くに従い細くなるような傾斜面又は湾曲面１３に形成された増毛用毛髪束１０’を得る。なお、このカット工程は、鋏等を用いて手動で作業する場合に限らず、流れ作業による自動化を図ることもできる。
【００２５】
更に、こうして得られた増毛用毛髪束１０、１０’に、紐部材５及び熱収縮チューブ１５を取付け、該熱収縮チューブ１５を収縮させて、図７又は図８に示すような毛髪束ユニット１を得ることができる。
【００２６】
なお、本実施形態では、増毛用毛髪束１０、１０’として複数本の人工毛１２を用いた
場合について説明したが、これに限らず、例えば人工毛１２の代わりに人毛を用いても良く、また人工毛と人毛の混合毛であっても良い。
【００２７】
次に、図７及び図８は、本実施形態の増毛用毛髪束１０、１０’を用いて作製された毛髪束ユニット１の全体構成を示す図である。増毛用毛髪束１０、１０’を頭髪に取り付けるには、この毛髪束ユニット１に形成された状態で行われる。
【００２８】
図７及び図８に示すように、毛髪束ユニット１は、増毛用毛髪束１０と、この増毛用毛髪束１０の根元側（頭髪への取付け側）に配置された熱収縮チューブ１５と、この熱収縮チューブ１５の内径側に挿通された無端状の紐部材１４と、を有している。熱収縮チューブ１５は、内壁に不図示の水溶性糊剤１１が塗布されている。また、紐部材１４の中間部１４ａは水溶性糊剤１１により増毛用毛髪束１０の根元側付近に接着されている。
【００２９】
この場合、増毛用毛髪束１０の根元側が板状のままだと、熱収縮チューブ１５を挿入するのが困難となるので、根元部分を少し丸めるようにして挿入すると良い。
また、無端状の紐部材１４は、熱収縮チューブ１５への挿通部分を境として、その上方に所定の大きさの輪１４ｂと下方に細長い輪１４ｃが形成されている。例えば、この上方の輪１４ｂの大きさは略４０ｍｍに形成しておく。なお、熱収縮チューブ１５は、増毛用毛髪束１０の根元と紐部材１４の２つ折り部分を合わせた径よりも大きな内径を有し、この内径の内壁に増毛用毛髪束１０の根元側と紐部材１４が接着されている。
【００３０】
以上により、頭髪への取付け時には、紐部材１４の上方の輪１４ｂの中に、自毛２１の先端部を引き入れる。次に、下方の細長い輪１４ｃを図の矢印Ａ方向に引っ張る。すると、上方の輪１４ｂが小さくなりながら自毛２１を２つ折りにして熱収縮チューブ１５内に引き込んでいく。
【００３１】
そして、熱収縮チューブ１５から完全に紐部材１４が引き出されて自毛２１の先端が熱収縮チューブ１５の下方に引き出されると共に、紐部材１４の中間部１４ａが水溶性糊剤１１との接着部分から剥離されて、該紐部材１４は捨てられる。これにより、熱収縮チューブ１５内で増毛用毛髪束１０又は１０’の根元部分と自毛２１とが揃って略平行に配置される。この時点で、例えばストレートアイロン等により熱収縮チューブ１５を完全に収縮させれば、増毛用毛髪束１０又は１０’を自毛２１に簡単に取付けることができる。
【００３２】
なお、この熱収縮チューブ１５の代わりに、例えば金属リングを用いても良い。この金属リングを用いる場合は、頭髪への取付け時には工具を用いて金属リングをつぶして取り付けることになる。
【図面の簡単な説明】
【００３３】
【図１】本実施の形態における増毛用毛髪束の平面図である。
【図２】本実施の形態における先端をカットした増毛用毛髪束の平面図である。
【図３】本実施の形態における増毛用毛髪束の製造方法のフローチャートを示す図である。
【図４】水溶性粘着剤の塗布工程を示す図である。
【図５】水溶性粘着剤の塗布後の工程を示す図である。
【図６】水溶性粘着剤の乾燥工程を示す図である。
【図７】図１の増毛用毛髪束を用いた毛髪束ユニットの全体構成を示す図である。
【図８】図２の増毛用毛髪束を用いた毛髪束ユニットの全体構成を示す図である。
【符号の説明】
【００３４】
１      毛髪束ユニット
１１    増毛用毛髪束
１２    人工毛
１３    傾斜面又は湾曲面
１４    紐部材
１４ａ  中間部
１４ｂ  輪
１４ｃ  輪
１５    熱収縮チューブ
１６    下布
１７    噴射装置
１８    上布
１９    下プレス装置
２０    上プレス装置
２２    熱プレス装置
【図１】
2007297734.tif 000003
【図２】
2007297734.tif 000004
【図３】
2007297734.tif 000005
【図４】
2007297734.tif 000006
【図５】
2007297734.tif 000007
【図６】
2007297734.tif 000008
【図７】
2007297734.tif 000009
【図８】
2007297734.tif 000010